(57)【要約】  本発明は、多数のユーザが有無線で連結されて同時に機器を使用することを通知する感性交感システムであって、外部との通信を行うための通信部と、ユーザが機器を使用することを感知する感知部と、ユーザが認識できる信号を表示する信号部と、を含む第１の装置と、前記第１の装置と連結されて他のユーザの第１の装置の使用状態に関する情報を受け取って第１の装置に伝達し、ユーザの第１の装置の使用状態に関する情報を伝達する第２の装置と、を含むことができる。【選択図】図１
2016524356.tif 000002
【特許請求の範囲】
【請求項１】
多数のユーザが有無線で連結されて同時に機器を使用することを通知する感性交感システムであって、
外部との通信を行うための通信部と、ユーザが機器を使用することを感知する感知部と、ユーザが認識できる信号を表示する信号部と、を含む第１の装置と、
前記第１の装置と連結されて他のユーザの第１の装置の使用状態に関する情報を受け取って第１の装置に伝達し、ユーザの第１の装置の使用状態に関する情報を伝達する第２の装置と、
を含む、多数のユーザが有無線で連結されて同時に機器を使用することを通知する感性交感システム。
【請求項２】
２つ以上の第２の装置は、第２の装置に連結された第１の装置の状態を統合的に管理するシステムサーバーに有無線ネットワークを通じて連結されることを特徴とする、請求項１に記載の多数のユーザが有無線で連結されて同時に機器を使用することを通知する感性交感システム。
【請求項３】
前記感知部は、タッチセンサー、温度センサー、重力センサーのうち、何れか１つを含むことを特徴とする、請求項２に記載の多数のユーザが有無線で連結されて同時に機器を使用することを通知する感性交感システム。
【請求項４】
前記第１の装置と第２の装置との連結は、近距離無線ネットワーク、ＵＳＢ端子連結を含むことを特徴とする、請求項３に記載の多数のユーザが有無線で連結されて同時に機器を使用することを通知する感性交感システム。
【請求項５】
前記表示部は、光、音を含めてユーザに信号を表示することを特徴とする、請求項４に記載の多数のユーザが有無線で連結されて同時に機器を使用することを通知する感性交感システム。
【請求項６】
前記第１の装置は、他の第１の装置の使用が確認される場合、表示部を通じて信号を表示することを特徴とする、請求項５に記載の多数のユーザが有無線で連結されて同時に機器を使用することを通知する感性交感システム。
【請求項７】
前記第１の装置は、他の第１の装置の使用が確認される場合、表示部を通じて他のユーザが使用しているという表示を発散することを特徴とする、請求項５に記載の多数のユーザが有無線で連結されて同時に機器を使用することを通知する感性交感システム。
【請求項８】
多数のユーザは、１つのグループに縛られて、特定の前記グループ内のユーザの装置は特定のユーザの装置に反応することを特徴とする、請求項１に記載の多数のユーザが有無線で連結されて同時に機器を使用することを通知する感性交感システム。
【請求項９】
第１の装置は、コップの本体、取っ手などのように、１つの物が多数個の部品からなる場合、それぞれの部品に感知部が形成されるようにし、第２の装置は、それぞれの感知部の動作が予め設定しておいた形態である場合、使用状態情報を伝達することを特徴とする、請求項８に記載の感性交感システム
【請求項１０】
前記第１の装置の通信部は、メッセージ伝達ボタンを含めて２つ以上の第１の装置が作動している際に、メッセージ伝達ボタンをどちらか一方から押すと、予め格納されていたメッセージが相手側に伝達されることを特徴とする、請求項９に記載の感性交感システム。
【発明の詳細な説明】
【技術分野】
【０００１】
本発明は、多数のユーザが有無線で連結されて同時に機器を使用することを通知する感性交感システムに関する。
【背景技術】
【０００２】
本発明は、多数のユーザが有無線で連結されて同時に機器を使用することを通知する感性交感システムに関し、最近は有無線で各種の装置をＰＣ、携帯電話などに連結して使用する機器が開発されている。しかし、このような装置の大半は特定の事務的な目的のために使用されることが多かった。特に、近距離無線通信を用いた装置が一般的な用途として使用されたことはそんなに昔のことではないが、このような無線通信技術は、近来までもコンピューター、携帯電話などで有線を通じて連結されていたものを無線に代替する程度に過ぎなかった。つまり、有線で連結されるラン、マウス、キーボード、ヘッドフォンなどを近距離無線通信技術を用いて無線で連結することが多かったのであり、有線で連結されていない製品を近距離無線通信技術を用いて連結することが殆どなかった。
【０００３】
特許文献１の「携帯装置を用いたドアロック制御方法」は、ブルートゥースモジュールを有するドアロック装置と、他のブルートゥースモジュールを有する携帯装置との間で、ブルートゥース通信を行って、携帯装置でドアロックを制御可能にした。このような装置は、近距離無線通信を、有線技術を使用していない分野に新たに適用した例に該当する。
【０００４】
本発明は、従来に有無線技術が利用されていかったコップを、有無線を通じて連結してユーザの感性に作用するシステムを提供する。
【先行技術文献】
【特許文献】
【０００５】
【特許文献１】大韓民国特許出願番号第１０−２００６−００９８９５６号
【発明の概要】
【発明が解決しようとする課題】
【０００６】
本発明は、上記のような目的を達成するために案出されたものであって、有無線技術を用いてユーザを連結して連帯感を形成することができるシステムを提供することを目的とする。
【課題を解決するための手段】
【０００７】
前述したような目的を達成するために、本発明は、多数のユーザが有無線で連結されて同時に機器を使用することを通知する感性交感システムを提供するところ、外部との通信を行うための通信部と、ユーザが機器を使用することを感知する感知部と、ユーザが認識できる信号を表示する信号部と、を含む第１の装置と、前記第１の装置と連結されて他のユーザの第１の装置の使用状態に関する情報を受け取って第１の装置に伝達し、ユーザの第１の装置の使用状態に関する情報を伝達する第２の装置と、を含むことができる。
【０００８】
また、２つ以上の第２の装置は、第２の装置に連結された第１の装置の状態を統合的に管理するシステムサーバーに有無線ネットワークを通じて連結されるものである。
【０００９】
前記感知部は、タッチセンサー、温度センサー、重力センサーのうち、何れか１つを含むことを特徴とする、多数のユーザが有無線で連結されて同時に機器を使用するものである。
【００１０】
前記第１の装置と第２の装置との連結は、近距離無線ネットワーク、ＵＳＢ端子連結を含むものである。
【００１１】
前記表示部は、光、音を含めてユーザに信号を表示することを特徴とする、多数のユーザが有無線で連結されて同時に機器を使用するものである。
【００１２】
前記第１の装置は、他の第１の装置の使用が確認される場合、表示部を通じて信号を表示するものである。
【００１３】
前記第１の装置は、他の第１の装置の使用が確認される場合、表示部を通じて他のユーザが使用しているという表示を発散するものである。
【００１４】
多数のユーザは、１つのグループに縛られて、特定の前記グループ内のユーザの装置は特定のユーザの装置に反応するものである。
【００１５】
第１の装置は、コップの本体、取っ手などのように、１つの物が多数個の部品からなる場合、それぞれの部品に感知部が形成されるようにし、第２の装置は、それぞれの感知部の動作が予め設定しておいた形態である場合、使用状態情報を伝達するものである。
【００１６】
前記第１の装置の通信部は、メッセージ伝達ボタンを含めて２つ以上の第１の装置が作動している際に、メッセージ伝達ボタンをどちらか一方から押すと、予め格納されていたメッセージが相手側に伝達されるものである。
【発明の効果】
【００１７】
前述したような発明によって、空間的に離れている人々を情緒的に連結する効果を有する。
【図面の簡単な説明】
【００１８】
【図１】本発明に係る一実施例を示す図である。
【図２】本発明に係る一実施例を示す図である。
【図３】本発明に係る一実施例を示す図である。
【発明を実施するための形態】
【００１９】
以下、添付した図面を参照しながら本発明について詳細に説明する。図１は、本発明に係るシステムの一実施例を示す図である。本発明に係るシステムは、近距離無線通信が可能な第１の装置１１と、前記第１の装置と近距離無線通信技術を用いて連結された第２の装置１２と、を含み、このような第２の装置は、インターネットのようなネットワークに連結可能な装置であって、移動通信端末、ノート型パソコン、コンピューターのような装置である。
【００２０】
また、第２の装置は、ネットワークを通じてシステムサーバー１３に連結されることができ、第２の装置が移動通信端末であれば、移動通信サービスを通じて互いに連結されることができる。また、第１の装置と第２の装置は、多数個が存在して互いに通信ができる。
【００２１】
図１は、第１のユーザと第２のユーザとの両者間に、システムサーバーを通じて連結された場合であって、説明の便宜のために、第１の装置がコップである場合を例示する。図１において、第１の装置は、１つ以上の感知部２１を含み、感知センサーで信号がセンシングされる場合、この信号は制御部２２を通じて通信部２３に連結される。
【００２２】
説明の便宜上、感知センサーはタッチ有無を感知するセンサーとする。通信部２３は、近距離無線通信を用いて、第２の装置に感知部からタッチが発生したことを知らせ、第１のユーザと第２のユーザとの両方からタッチ信号が受信される場合、発光信号を第１のユーザと第２のユーザの第２の装置に送信し、それぞれの第２の装置は、それぞれの第２の装置に連結された第１の装置に発光信号を伝送して、第１の装置の表示部２４の発光部によって発光するようになる。
【００２３】
つまり、第１のユーザと第２のユーザのうち、何れか１人のみがコップをタッチしている間には、発光信号が送信されないが、第１のユーザと第２のユーザとが同時にコップをタッチする場合、発光信号が送信される。つまり、２人が互いに離れているが同じ時間にコップを使っていると発光されるものであって、空間的には離れているが、心だけは互いに向かっているという意味で使われ、恋人間で使用され得る。
【００２４】
しかし、第１の装置と第２の装置とを連結する場合、近距離無線通信を使わないこともあり、説明の便宜のために、第１の装置としてはコップを、感知部ではタッチ有無をセンシングすると説明したが、感知部では温度センサーを使用してコップが常温より上がったり下がったりする場合、即ち、熱い飲料や冷たい飲料を使用する場合、センシング信号が伝達されるようにすることもできる。熱いコーヒーを好きな恋人なら、同じ時間にコーヒーを飲むようになると、表示部２４の発光装置により発光されるようにすることができる。または、発光ではなく音が出るようにしたり、光、音の他に、人間が感知できる全ての形態の信号になり得る。
【００２５】
また、第１の装置がコップではなく、マウスやペン、本のように、第１の装置に必要な感知部、表示部などを内蔵できる全ての形態の製品になることができ、第１の装置のうち、一方はマウス、他方はヘッドホンのように、互いに異なる装置である可能性もあり、これによって、それぞれの感知部と表示部が設定されることができ、これは２つの装置を使用するユーザ間で何かの特別な意味を有するようにすることができる。
【００２６】
また、第１の装置は、タンブラー、マグコップのようなコップの他にも、鞄などの取っ手、ペンダントなどに使用可能であり、第１の装置自体が第２の装置自体に搭載された状態で使用可能にすることもでき（スマートウォッチ、スマートフォンなど）、自動車、自転車のような他の製品に取り付けて使用することもできる。
【００２７】
自動車においても、ハンドルカバーなどに第１の装置を適用し、第２の装置は自動車に搭載されたナビゲーションや移動体通信装置、車両用ＰＣ等になり得る。
【００２８】
その他にも、人形、皿、陶磁器のような一般的な物品に適用可能である。
【００２９】
陶磁器のような場合にも、陶磁器のコップ、コップの取っ手、コップのソーサー、コップの蓋に第１の装置が１つずつ装着されることができる。必要に応じては洗浄時に第１の装置に該当する部分が分離されるようにすることができる。
【００３０】
この場合、第１の装置がコップ、取っ手、コップの蓋にそれぞれ取り付けられる場合、さらに複雑な形態の情報伝達及び感性交感が可能になる。第１の装置にタッチセンサーが使用される場合、コップを運ぶ途中、手が触れてタッチ信号が伝送されてしまう恐れもあるが、このような信号がコップを使用しているという信号と誤認される余地がある。
【００３１】
しかし、コップの本体には温度センサーが装着され、取っ手にはタッチセンサーが装着され、コップの蓋にもタッチセンサーが装着される場合、全てのセンサーでセンシング信号が第２の装置を通じて送られるようになれば、単にコップを間違ってタッチしたのではなく、本当にコップを使用していると認められる。
【００３２】
また、ユーザによってはタッチの手順を定めてコップの蓋を置いて（コップの蓋センシング）、茶をコップに満たせ（温度センシング）、取っ手を握って（タッチセンシング）、などが順に行われているかをチェックするようになれば、さらに精密なセンシングが可能になり、このようなセンシングが別の場所にある２つの第２の装置によって信号が発生されると、場所は違っても同じ行為を行っているという仲間意識が発生されるようにすることができる。
【００３３】
また、別途のメッセージ伝達ボタンを通じて、離れている２つの製品が使われている場合に、「愛してる」などのメッセージが相手に伝達されるようにすることもできる。
【００３４】
また、２人共が第１の装置を使用していることを感知部で感知する場合と共に、第１、第２のユーザのうち、第１のユーザが第１の装置を使用する場合、第２のユーザには第１のユーザが装置を使用していることを知らせることができる。例えば、特定時間の間隔を空いて軽く発光させることで、第２のユーザに第１のユーザが第１の装置を使用していることを知らせて、第２のユーザも自分の第１の装置を使用する場合、第１のユーザと第２のユーザの第１の装置は予め設定された形態の表示を表示部を通じて行うようになる。
【００３５】
２人のコップを連結するためには、第１の装置と連結された第２の装置が、移動通信、インターネットを通じて連結されるようにすることができる。通常の第２の装置として使われている装置は、携帯電話、ＰＣなどになり得るが、このような装置は、有線無線ネットワークを通じて直接に連結されてデータの送受信が可能になるので、別途のサーバーが不要である可能性がある。しかし、１：多数、多数：多数で連結される場合は、別途のサーバーが必要となる。
【００３６】
図２は、更に他の実施例を図示している。図２の実施例において、第１の装置は、図１に示すようにコップであるが、両者間に連結されるものではなく、特定の人が使用している１つのコップに、多数のユーザが連結される形態である。つまり、２人の恋人間に連結される形態ではなく、１人の有名人と、その有名人の多数のファンと、が連結される形態である。つまり、有名人がコップを使うようになれば、このコップに連結されている多数のユーザのうち、同じ時間にコップを使用している人は、コップが輝いたりするなどの表示が行われるようにすることができる。
【００３７】
または、前述したように、有名人がコップを使用する際、個別ユーザに有名人が使用していることを特別な信号を通じて知らせ、同じ時間にユーザが使用するようになれば、予め設定されていた動作（発光、音の再生、音楽など）を行うようになる。このように同じ時間帯にユーザが自分が好きな有名人と何かを共有するという感じは、ファンと有名人との間の距離感を縮め、ユーザは自分と連結されている有名人と一緒に茶を飲むという感じを受けるようになる。
【００３８】
ここで、表示部が表示する形態は、発光、音などに制限されず、光、音など、ユーザに情報を伝達可能な全ての手段がこれに該当され得る。
【００３９】
この際、発光は、ユーザが有しているコップのみが発光されるようにすることができ、有名人がコップを使用する際、これと連結されたコップを有している全てのユーザのコップに、有名人がコップを使用しているという信号を送ることができる。
【００４０】
また、１：多数だけでなく、一定のグループを形成する人々の間で、一定数以上の人が同じ装置を使用するようになれば信号が出るようにすることもできる。
【００４１】
この場合、多数のユーザが互いに連結される場合に該当するため、別途のシステムサーバーを通じて連結した方が良い。
【００４２】
また、本発明では、第１の装置と第２の装置とを連結する場合、近距離無線ネットワークを使用する場合を例示したが、マウス、ヘッドホンのように第２の装置に連結されている製品やその他の大きく移動しない製品の場合には、ＵＳＢのような有線連結を通じて連結されるようにすることができる。
【符号の説明】
【００４３】
１１  第１の装置
１２  第２の装置
１３  システムサーバー
２１  感知部
２２  制御部
２３  通信部
２４  表示部
【図１】
2016524356.tif 000003
【図２】
2016524356.tif 000004
【図３】
2016524356.tif 000005
【国際調査報告】
2016524356.tif 000006
2016524356.tif 000007
2016524356.tif 000008
2016524356.tif 000009